(57)【要約】【課題】本発明は電気コネクタに関し、接合用の開口部にシャッターを設ける際、コネクタ本体の厚みや奥行きの寸法が大きくならないようにすることが課題である。【解決手段】接続側の開口部にシャッターが設けられた電気コネクタであって、前記シャッター２，３は、弾性復帰手段４によりコネクタ本体１ａの後方から前方の開口部へと付勢されて移動自在であるとともに、前記開口部１ｂからコネクタ本体の後方への移動は、嵌合される相手方コネクタに係合して押し込まれる移動伝達部材５によって接続用空間部１ｃの外側に引き込まれて待避されるようにした電気コネクタ１とする。【選択図】図１
2005032648.tif 000002
【特許請求の範囲】
【請求項１】
接続側の開口部にシャッターが設けられた電気コネクタであって、前記シャッターは、弾性復帰手段によりコネクタ本体の後方から前方の開口部へと付勢されて移動自在であるとともに、前記開口部からコネクタ本体の後方への移動は、嵌合される相手方コネクタに係合して押し込まれる移動伝達部材によって接続用空間部の外側に引き込まれて待避されること、
を特徴とする電気コネクタ。
【請求項２】
シャッターは、開口部において当該開口部の上下方向又は左右方向における略中央部分から２分割されていること、
を特徴とする請求項１に記載の電気コネクタ。
【発明の詳細な説明】
【技術分野】
【０００１】
本発明は、電気コネクタであって、雌雄のコンタクトを嵌合・接続させるその接続用の開口部に、シャッターが設けられているものに関する。
【背景技術】
【０００２】
電気コネクタにおいて、例えば、携帯電話の充電器に接続させるためのコネクタ、自動車などのワーヤーハーネス等のコネクタ、ノート型パーソナルコンピュータに拡張用のハードディスク等を接続するためのコネクタでは、防塵もしくはクリップ等の金属片の侵入
防止のために、開口部に開閉式のシャッターが設けられている。
【０００３】
そこで、従来においては、図７（Ａ）に示すように、機構部の内部空間において上下に２分割されたシャッター１１が上下の支点から内側に回転するようにしたもの、図７（Ｂ），（Ｃ）に示すように、開口部１２から後方へ平行に移動するようにしたものが知られている。
【０００４】
しかし、上記従来のシャッター１１では、そのシャッター１１とコンタクト１３との衝突を防止するために、後方への逃げ寸法を大きくする必要がある。よって、コネクタの奥行き寸法が大きくなる。また、シャッター１４が平行移動するのでは、シャッター１４にコンタクト１５捜通用の孔を開ける必要が生じてしまうという欠点があった。更に、相手方の嵌合部が挿入された際にその嵌合部によって上下に回転して拡開されるものでは、コネクタ本体の厚みが増すことになる。
【０００５】
このように、電気コネクタの外形が大きくなったり、シャッターの一部に孔を開けたりと、軽薄短小化及びコスト低減の要請が求められる携帯機器等には不向きである。
【特許文献１】特開平８−１３８７８５号公報（第１−６頁、第１図、第３図）
【特許文献２】特開２００３−１３３０１２（第１−８頁、第１図、第７図）
【発明の開示】
【発明が解決しようとする課題】
【０００６】
解決しようとする問題点は、電気コネクタの開口部にシャッターを設けると、コネクタ本体の外形寸法が拡大すること、且つ、部品加工や組立て工数においてコストが嵩むことである。
【課題を解決するための手段】
【０００７】
本発明に係る電気コネクタは、接続側の開口部にシャッターが設けられた電気コネクタであって、前記シャッターは、弾性復帰手段によりコネクタ本体の後方から前方の開口部へと付勢されて移動自在であるとともに、前記開口部からコネクタ本体の後方への移動は、嵌合される相手方コネクタに係合して押し込まれる移動伝達部材によって接続用空間部の外側に引き込まれて待避されるようにした電気コネクタであること、を最も主要な特徴とする。
また、前記シャッターは、開口部において当該開口部の上下方向又は左右方向における略中央部分から２分割されていることを含むものである。
【発明の効果】
【０００８】
本発明の電気コネクタは、シャッターが接続用空間部の外側、即ち、接続用空間部の上部・下部若しくは左側部・右側部に待避されるようにすることで、コネクタ全体の奥行きが拡大せず、厚みにおいてもさほど変化がなく、シャッターに孔等の特別な加工が不要である、という利点がある。
【発明を実施するための最良の形態】
【０００９】
本発明の目的を、シャッターは、弾性復帰手段によりコネクタ本体の後方から前方の開口部へと付勢されて移動自在であるとともに、前記開口部からコネクタ本体の後方への移動は、嵌合される相手方コネクタに係合して押し込まれる移動伝達部材によって接続用空間部の外側に引き込まれて待避されるようにすることで実現した。更に、前記シャッターは、開口部において当該開口部の上下方向又は左右方向における略中央部分から２分割されていることで実現した。
【実施例１】
【００１０】
本発明に係る電気コネクタ１は、図１乃至図２に示すように、相手方コネクタが挿入される開口部１ｂに、上下に２分割された、金属製若しくは合成樹脂製のシャッター２，３を有する雄型コネクタである。
【００１１】
前記シャッター２，３は、例えば、コネクタ本体１ａの両側部に設けられるコイルスプリング等の弾性復帰手段４により、コネクタ本体１ａの後方から前方の開口部１ｂへと付勢されて移動自在にされている。符号４ａは、前方に付勢されるロッドを示している。
【００１２】
更に、前記シャッター２，３における、前記開口部１ｂからコネクタ本体１ａの後方への移動は、嵌合される相手方コネクタに係合して押し込まれる移動伝達部材５によって接続用空間部１ｃの外側に引き込まれて待避される。前記移動伝達部材５は、例えば、ステンレス等の金属製箱体に形成されたもであり、コネクタ本体１ａに対して前後方向にスライド自在となっている。
【００１３】
前記移動伝達部材５の前方には、左右方向に延設したフランジ部５ａがあり、これに、前記ロッド４ａの先端部がそれぞれに固着されている。これにより、前記弾性復帰手段４の付勢力で、移動伝達部材５が常に前方に付勢される。
【００１４】
また、移動伝達部材５の先端部には、その上下２カ所に左右方向に架設してヒンジ６が設けられ、前記シャッター２，３の後端部が回転自在にして係合されている。そして、シャッター２，３は、例えば、ヒンジ６の端部に係合されたトーションバネ等（図示せず）により、常に閉じるように付勢されている。
【００１５】
そして、前記シャッター２，３は、コネクタ本体１ａの両側板１ｄの前端面１ｅの形状に沿って摺接しながら、後退・前進する。なお、符号７は、電気コネクタ１における雄コンタクトを示している。
【００１６】
図３は、電気コネクタ１のシャッター２，３が、移動伝達部材５の後方への移動により待避されて、開らかれた状態を示している。  
【００１７】
このように形成された本発明の電気コネクタ１の使用方法を説明する。図４乃至図５に示すように、この電気コネクタ１に嵌合される相手方の電気コネクタ８の左右両端部に前方に突出するガイドピン８ａがある。このガイドピン８ａが、接近した際に、電気コネクタ１のフランジ部５ａに当接する。
【００１８】
前記ガイドピン８ａがそのまま押し込まれると、弾性復帰手段４の付勢力に抗して、移動伝達部材５がコネクタ１の後方に押し込まれスライドする。
【００１９】
前記シャッター２，３は、図４に示すように、後方に移動する移動伝達部材５により、ヒンジ６を介して、接続空間部の上部・下部においてその後方に引かれ、両側板１ｄの前端面１ｅに沿って拡開される。ヒンジ６端部のトーションバネの付勢力に抗してシャッター２，３が回転する。
【００２０】
相手方の嵌合部の先端部が、電気コネクタ１の開口部１ｂに接近した時には、前記シャッター２，３が、後方に待避されて、当該開口部１ｂが完全に開口される。その後、相手方の電気コネクタ８の嵌合部８ｂが、電気コネクタ１の接続空間部１ｃ内に嵌合され、雄コンタクト７が前記相手方電気コネクタ８の雌コンタクトに接続する。
【００２１】
前記相手方電気コネクタ８を電気コネクタ１から抜去すると、図４に示す図の下から上へと順に、シャッター２，３が弾性復帰手段４に付勢された移動伝達部材５により、コネクタ１の前方に移動し、トーションバネの付勢力により、前端面１ｅの形状に沿って、開口部１ｂが閉じられる。
【００２２】
図６に示す態様は、本発明の電気コネクタ１を、携帯電話機等の充電器９との電気的接続を図る嵌合部に適用した例を示すものである。このように、例えば、上下方向において２分割されたシャッター２，３を、板厚の薄い箱体である移動伝達部材５で、コネクタ本体１ａの後方に引き込むようにしたので、コネクタ本体１ａ全体の厚が特別厚くなることがなく、奥行き方向の寸法も長くなることもない。
【産業上の利用可能性】
【００２３】
本発明に係る電気コネクタ１のシャッターは、相手方と嵌合させる開口部を有する部品・機器装置において、シャッターの開閉が不可欠な用途にも適用できる。
【図面の簡単な説明】
【００２４】
【図１】本発明に係る電気コネクタ１の側面図（Ａ）、同側断面図（Ｂ）である。
【図２】同本発明に係る電気コネクタ１の平面図（Ａ）、同正面図（Ｂ）、同底面図（Ｃ）である。
【図３】同本発明に係る電気コネクタ１において、シャッターが開いた状態の、平面図（Ａ）、同正面図（Ｂ）、同底面図（Ｃ）、側面図（Ｄ）である。
【図４】同本発明に係る電気コネクタ１の使用状態説明図である。
【図５】同本発明に係る電気コネクタ１で、相手方のガイドピン８ａで弾性復帰手段４が後方に押し込まれる様子を示す説明図である。
【図６】同本発明に係る電気コネクタ１を、充電器に嵌合させた場合の説明状断面図である。
【図７】従来例に係る電気コネクタの説明図（Ａ），（Ｂ），（Ｃ）である。
【符号の説明】
【００２５】
１    電気コネクタ、
１ａ  コネクタ本体、
１ｂ  開口部、
１ｃ  接続用空間部、
１ｄ  側板、
１ｅ  前端面、
２    シャッター、
３    シャッター、
４    弾性復帰手段、
５    移動伝達部材、
５ａ  フランジ部、
６    ヒンジ、
７    雄コンタクト、
８    電気コネクタ、
８ａ  ガイドピン、
８ｂ  嵌合部、
９    充電器。
【図１】
2005032648.tif 000003
【図２】
2005032648.tif 000004
【図３】
2005032648.tif 000005
【図４】
2005032648.tif 000006
【図５】
2005032648.tif 000007
【図６】
2005032648.tif 000008
【図７】
2005032648.tif 000009